(57)【要約】【課題】電源を装置内部に組み込む場合に、可能な限り装置厚の薄型化が実現された冷却構造を有する画面一体型情報処理装置を提供すること。【解決手段】画面一体型情報処理装置は、表示部と、その表示部を支持するスタンドを備え、表示部に電源とその電源の冷却構造とを内蔵し、表示部は、冷却構造の部分のみが表示部の表示面と反対側の面に凸部となる。【選択図】図２
2012063931.tif 000002
【特許請求の範囲】
【請求項１】
表示部と、該表示部を支持するスタンドを備え、前記表示部に電源と該電源の冷却構造とを内蔵する画面一体型情報処理装置であって、
前記表示部は、前記冷却構造の部分のみが前記表示部の表示面と反対側の面に凸部となることを特徴とする冷却構造を有する画面一体型情報処理装置。
【請求項２】
前記凸部は、前記スタンドと対面する位置に設けられることを特徴とする請求項１記載の冷却構造を有する画面一体型情報処理装置。
【請求項３】
前記凸部は、前記表示部の前記表示部と前記スタンドとの連結部分にまで延伸されることを特徴とする請求項１または２記載の冷却構造を有する画面一体型情報処理装置。
【発明の詳細な説明】
【技術分野】
【０００１】
本発明は、冷却構造を有する画面一体型情報処理装置の薄型化技術に関する。
【背景技術】
【０００２】
画面一体型パーソナル・コンピュータ等の画面一体型情報処理装置は、大画面かつ高性能なものが知られており、ユーザが、スリムでスタイリッシュなデザインを好むこともあり、装置（筐体）厚自体の薄型化が要求される。
【０００３】
この薄型化を実現するために、これまで、立方体の電源を単に装置内部に組み込んだり、ＡＣアダプタ化により電源を装置外部に取り出したり、電源を電源カバー（所定の厚みの板金）を取り外した状態で組み込み、装置の厚みを削減する手法があった。
【０００４】
一方、画面一体型パーソナル・コンピュータ等の画面一体型情報処理装置には、ＣＰＵや電源等から発生する熱を冷却するためのファン等の冷却構造が設けれていることが多く、この冷却構造も装置厚自体の薄型化を実現する際には考慮しなくてはならない一要素となっている。
【０００５】
ここで、関連技術として、ノート型パーソナル・コンピュータの内部の冷却ファンの前面にセット脚を利用して空洞を作って乱流を抑え、冷却効率を高め、全体的な薄型化を行う技術がある（例えば、特許文献１参照）。
【先行技術文献】
【特許文献】
【０００６】
【特許文献１】特開２００１−７５６７７号公報
【発明の概要】
【発明が解決しようとする課題】
【０００７】
しかしながら、上記の関連技術では、ノート型パーソナル・コンピュータでなくセット脚を利用できないデスクトップ型の画面一体型パーソナル・コンピュータ等の装置厚の薄型化は困難である。
また、電源を単に装置内部に組み込むのでは、装置全体の厚みを電源関連部分の厚み以下の薄さとすることは困難であり、また、高級志向の製品層であるのでＡＣアダプタ化はユーザに好まれなく、また、電源カバーを取り外すと安全性が低下するおそれがある。
【０００８】
本発明の目的は、電源を装置内部に組み込む場合に、可能な限り装置厚の薄型化が実現された冷却構造を有する画面一体型情報処理装置を提供することにある。
【課題を解決するための手段】
【０００９】
本発明の冷却構造を有する画面一体型情報処理装置は、表示部と、該表示部を支持するスタンドを備え、前記表示部に電源と該電源の冷却構造とを内蔵する画面一体型情報処理装置であって、
前記表示部は、前記冷却構造の部分のみが前記表示部の表示面と反対側の面に凸部となることを特徴とする。
【発明の効果】
【００１０】
本発明によれば、冷却構造を有する画面一体型情報処理装置の装置内部に電源を組み込む場合に、可能な限り装置厚の薄型化を図ることができる。
【図面の簡単な説明】
【００１１】
【図１】本発明の実施の形態に係る画面一体型パーソナル・コンピュータの斜視図である。
【図２】本発明の実施の形態に係る画面一体型パーソナル・コンピュータの断面図である。
【図３】本発明の実施の形態に係る電源断面図である。
【図４】本発明の実施の形態に係る画面一体型パーソナル・コンピュータの背面図である。
【発明を実施するための形態】
【００１２】
以下、本発明の実施の形態について図面を参照して詳細に説明する。図１に示す本実施の形態における冷却構造を有する画面一体型情報処理装置としての画面一体型パーソナル・コンピュータ１０は、表示部２０と、スタンド３０とから構成されている。画面一体型パーソナル・コンピュータ１０は、一例であって、種々の情報処理装置であってよい。また、表示部２０は、液晶ディスプレイ（ＬＣＤ）パネル等の薄型表示パネルを備え、筐体により囲われており、画面一体型パーソナル・コンピュータ１０の本体が格納される。詳細な構成は後述する。なお、表示部２０とスタンド３０とは、ネジ等のヒンジ機構により接合され、スタンド３０により表示部２０が支持されている。
【００１３】
スタンド３０は、例えば、スタンドリアカバーと、スタンドフロントカバーと、支柱と、接合部と、台座であるスタンドベースとを備えて構成されてよい。支柱の内部に設けられた回転機構によりスタンド３０を固定したまま表示部２０の角度を変えるためのチルト・スイベル動作が可能となる。
【００１４】
図２は、図１に示す画面一体型パーソナル・コンピュータ１０のＡ−Ａ‘面での断面図である。
表示部２０は、フロントカバー２１、ＬＣＤパネル２２、パネル−Ｍ／Ｂブラケット２３、スピーカ２４、ブロア（ＣＰＵファン）２５、Ｍ／Ｂ２６、ＨＤＤ２７、電源２８および電源ファン２９等から構成されている。基本的には既知の構成であり各構成の詳細な説明は省略する。
図２においては、表示部２０のうち概ねスタンド３０の高さ以上の部分は、それ以下の部分よりも厚みが薄くなっている（後述するようにその他にも薄くなっている部分は存在する）。すなわち、従来、電源２８を単に装置内部に組み込むのでは、表示部２０全体の厚みを電源関連部分の厚み以下の薄さとすることは困難であり、表示部２０全体の厚みが同一であり、表示部２０のうち概ねスタンド３０の高さ以上の部分も破線で示すようにそれ以下の部分と同一の厚みとなっていた。これを破線で示す部分と実図との差分だけ薄型化が実現されている。
従来、電源２８を単に装置内部に組み込む場合において、電源関連の構造を精査してみると、最も厚みをとるのが電源ファン２９の部分であり、逆にその他の部分は薄くできることが判明した。
【００１５】
そこで、図３の電源断面図に示すように、従来、電源２８の後部に設けられる電源ファン２９の高さまで確保していた装置の厚み（破線で示す高さ）を、電源ファン２９の部分のみ従来と同一の厚み等とし、その他の部分は薄くする。
図３においては、板金で囲まれた電源２８の制御基板上のキャパシタと電源ファン２９との間には空気が流れるための少なくとも１ｍｍ程度の所定の空間が必要であるが、図３の構成では最低（ＭＩＮ）１．６４ｍｍ確保されている。
しかし、電源ファン２９の部分のみ従来と同一の厚み等で表示部２０の表示面と反対側の面に凸部となっていては、画面一体型パーソナル・コンピュータ１０を背面からユーザが見ると凸部が出っ張っており、スリムでスタイリッシュなデザインを好むユーザの嗜好を満足させることは困難である。そこで、この電源ファン２９の部分の凸部をユーザが視認しにくくすることで、凸部を目立たせなくすることが必要となる。
【００１６】
図４は、図１に示す画面一体型パーソナル・コンピュータ１０の背面図である。
電源２８の後部に設けられる電源ファン２９部分のみ従来と同一の厚み等で凸部となっているが、破線で示すスタンド３０部分に当該凸部は隠れてユーザが視認しにくくなっている。
電源２８の一部は破線で示すスタンド３０に隠れていないが、図３において説明したとおり、電源２８の電源ファン２９が重なる（後部に設けられる）部分のみ従来と同一の厚み等で凸部となっているが、電源２８のうちその他の部分は厚みが薄くなっている。したがって、図２において説明したとおり、表示部２０のうち概ねスタンド３０の高さ以上の部分は、それ以下の部分よりも厚みが薄くなっていることに加えて、表示部２０のうち概ねスタンド３０の高さ以下の部分であっても電源２８の電源ファン２９が重なる（後部に設けられる）部分以外も厚みが薄くなっていてよい。
電源２８の電源ファン２９が重なる（後部に設けられる）部分のみを厚くし、スタンド３０の対面に位置づけることで電源ファン２９の厚みを目立たなくし、電源ファン２９以外の部分は薄くすることで装置厚自体の薄型化が実現されている。
【００１７】
なお、図２に示すように、電源２８の電源ファン２９が重なる（後部に設けられる）部分のみを厚くするのではなく、それ以外の部分である、ネジ等のヒンジ機構と対面する部分も厚くすることであってもよい。これにより、表示部２０とスタンド３０との空間（距離）の確保が確実にでき、チルト・スイベル動作等の際に表示部２０とスタンド３０とが接触すること等を確実に回避することができ、また、電源ファン２９の吸気のための空間の確保が確実にでき、さらに、チルト・スイベル動作等の際に表示部２０をユーザが下から手で保持する際の空間の確保が確実にできるという効果を奏する。
【００１８】
なお、上述する実施の形態は、本発明の好適な実施の形態であり、本発明の要旨を逸脱しない範囲内において種々変更実施が可能である。
【符号の説明】
【００１９】
１０    画面一体型パーソナル・コンピュータ
２０    表示部
２１    フロントカバー
２２    ＬＣＤパネル
２３    パネル−Ｍ／Ｂブラケット
２４    スピーカ
２５    ブロア（ＣＰＵファン）
２６    Ｍ／Ｂ
２７    ＨＤＤ
２８    電源
２９    電源ファン
３０    スタンド
【図１】
2012063931.tif 000003
【図２】
2012063931.tif 000004
【図３】
2012063931.tif 000005
【図４】
2012063931.tif 000006